(57)【特許請求の範囲】
【請求項１】
家具本体に関しての進退移動を案内するために取り付けられる二重壁ドロワーのための安定化装置であって、
進退移動する前記ドロワーを支持するためのドロワー支持手段と、
該支持手段上の溝に設けられ、前記家具本体と前記ドロワーの幅との間の不一致を調節するためのガイド（３０）と、
前記支持手段内に収容され、前記進退移動を可能とするためのランナー装置と、
を備え、
力が前記ガイド（３０）に与えられたときに、前記ガイドが前記溝に嵌合されると共に前記溝へロックされる一方で、前記ガイドがドロワーのランナー装置と位置合わせされるように、前記ガイドを横方向に移動可能としたことを特徴とする安定化装置。
【請求項２】
前記ガイドを前記ドロワー支持手段にロックするための加力手段を更に備えていることを特徴とする請求項１に記載の安定化装置。
【請求項３】
前記進退移動を支持するための前記ドロワー支持手段が、下側支持ブラケット（６０）であることを特徴とする請求項２に記載の安定化装置。
【請求項４】
前記ガイド（３０）及び下側支持ブラケット（６０）のそれぞれがセレーション（３２，６２）を更に備えており、該セレーションは、前記ガイド（３０）が前記下側支持ブラケット（６０）上に係止される際に係合可能とされていることを特徴とする請求項３に記載の安定化装置。
【請求項５】
前記加力手段が、前記ガイド（３０）に一定の圧力を与えていることを特徴とする請求項２に記載の安定化装置。
【請求項６】
前記ガイド（３０）に弾性力を生じさせるための前記加力手段が、レバー（２０）と脚部（１０）とを備えていることを特徴とする請求項２に記載の安定化装置。
【請求項７】
前記レバー（２０）が逆Ｕ字状を為すブラケットであることを特徴とする請求項６に記載の安定化装置。
【請求項８】
前記脚部（１０）が、板金若しくは比較的平滑なエッジを有する２つの側面を備えた任意の適切な材料から形成され、前記脚部（１０）は前記レバー（２０）の凹部（２１）に嵌合するように適合されていることを特徴とする請求項６に記載の安定化装置。
【請求項９】
前記加力手段が、ホルダー（４０）によって、前記ドロワー支持手段である前記下側支持ブラケット（６０）に取り付けられていることを特徴とする請求項３に記載の安定化装置。
【請求項１０】
前記ホルダー（４０）がＬ字状を為すブラケットであることを特徴とする請求項９に記載の安定化装置。
【請求項１１】
前記ガイド（３０）が前記ランナー装置と自動的に位置合わせされていることを特徴とする請求項１に記載の安定化装置。
【請求項１２】
請求項１から５のいずれか一項に記載の安定化装置に適合されるドロワー。
【請求項１３】
前記ドロワーの少なくとも一方の側部に前記安定化装置を有していることを特徴とする請求項１２に記載のドロワー。
【発明の詳細な説明】
【技術分野】
【０００１】
本発明はドロワーの安定化装置（drawer stabilizing arrangement）に関するものであって、より具体的には、ドロワーが開閉されるときにドロワーの姿勢の傾き若しくはズレを実質的に防止するための安定化装置に関する。
【背景技術】
【０００２】
本発明は複数の構成部品から組立可能とされたドロワーの安定化装置であって、ドロワーの進退移動の際、ドロワー及び支持手段の相対的な並進移動を制御するためのランニング装置を備えている。
【０００３】
一般に、従来のドロワーの相対的な進退移動は、ガイド手段若しくは換言するとドロワーガイドによってガイドされるか若しくは制御されている。  そのような横方向のガイドは、大きな荷重若しくはドロワー構成部品の側方への引張力により、傾き若しくは倒れを制限している。  しかしながら、そのような横方向の案内面には、自由な動きを与えるためのクリアランスを設ける必要があり、従って、ドロワーの開閉の際にガタ（looseness）を感じてしまう場合がある。
【０００４】
ドロワーが比較的重いものであるか若しくはドロワーに重量物が詰め込まれている場合にのみ、市場で販売されている横方向の安定化装置は十分な上下方向の安定性を有する。
【０００５】
公知技術によると、この種の安定化装置の構成部品は、製造コストに関してはかなり高価なものであり、特に重量物を受容することを意図している。
【０００６】
しかしながら荷重が加わっていない軽量構造については、家具の支持部材若しくはそれに類する物からドロワーを進退移動させる際に、横方向及び上下方向の双方における前記ガタを生じる場合がある。  更に、このような不快感は重量物を収容する大型のドロワーでは一層明らかとなる。
【特許文献１】米国特許第４，９６１，６１４号明細書
【特許文献２】米国特許第４，８１０，０４５号明細書
【特許文献３】独国特許出願公開第４１１４７０８号明細書
【発明の開示】
【発明が解決しようとする課題】
【０００７】
本発明は家具本体の二重壁ドロワーに用いるための安定化装置に関するものであって、進退移動する前記ドロワーを支持するためのドロワー支持手段と、該支持手段上の溝に設けられ、前記家具本体と前記ドロワーの幅との間の不一致（variance）を調節するためのガイド３０と、前記支持手段内に収容され、前記進退移動を可能とするためのランナー装置（runner system）とを備え、力が前記ガイド３０に与えられたときに、前記ガイドが前記溝に嵌合されると共に前記溝へロックされる一方で、前記ガイドがドロワーのランナー装置と位置合わせされるように、前記ガイドを横方向に移動可能としたことを特徴としている。
【課題を解決するための手段】
【０００８】
従って本発明の目的は、中身が入っているか入っていないかによらず、重いあるいは軽いドロワー用の移動安定化装置を提供することであって、この安定化装置は、それぞれの家具部材内での進退移動のために、ドロワーの少なくとも一側部若しくは両側部の後部若しくは前部のいずれかに取り付けられている。
【０００９】
本発明の更なる目的は、図９に示されるように、家具部材の内部領域とドロワー幅との間の不一致を調整することにある。
【発明を実施するための最良の形態】
【００１０】
本発明は、家具本体若しくはあらゆる支持構造体に挿入される際のドロワーの動きを安定化させるための装置から成っている。
【００１１】
ドロワーの安定化は、該ドロワーが家具本体から引き出されるか若しくは押し込んで戻される際に、一方の側若しくは水平方向で傾くことを実質的に防止するようにして為されている。
【００１２】
図面を参照すると、図１は本発明の好適な実施例において、ドロワーの下側支持ブラケットの上面に取り付けられた安定化装置と共に備え付けられたドロワーの斜視図を表している。
【００１３】
本発明において、該ドロワーは好適には二重壁構造とされている。  このドロワーは家具部材に関して水平方向に出し入れ動作できるように、家具本体若しくはあらゆる支持構造体に完全に挿入されており、この場合において、そのような動作は、ドロワーの両側部でランニング装置によってガイドされていると共に、例えば下側支持ブラケットのような支持手段によって支持されている。
【００１４】
図２．１に示されるように、二重壁構造とされたドロワーは、該ドロワーの少なくとも一の側壁の前部で、安定化装置の組立部品を受容するように適宜に縁取られた（bordered）開口部を備えている。
【００１５】
図３を参照すると、一旦、従来の引出しが家具部材に完全に挿入されると、図３に示されるように、ドロワー側部９０ａは点「Ｘ」でランナー装置１１０ａによってガイドされると共に、ドロワー側部９０ｂはランナー装置１１０ｂの両側にクリアランスを有することとなるであろう。
【００１６】
図３に表しているように、ドロワーを家具部材から引き出す若しくは押し込んで戻すときにも、ドロワーがいつも水平方向に傾いてしまう主たる理由は、このクリアランスにある。
【００１７】
本発明による安定化装置は、図１に示されるように、前記ドロワーの下側支持ブラケット６０の上面に付加されている。
【００１８】
本発明は、ドロワーの相対的な並進移動の際に該ドロワーを支持するために、ガイド３０と、ドロワー及び支持手段の進退移動若しくは相対的な並進移動を安定化させるために、前記ガイド３０のロック位置への移動を許容するように力を与えるための加力手段とを備えている。
【００１９】
本発明の本質的な部分は前記ガイド３０であるが、該ガイドは同様の効果を奏するために多数の加力手段を備えることもできる。  具体例を図７．１〜図７．３に示す。  このガイド３０は例えば、フリーウェイトによって下側支持ブラケットの外側表面に係合され得る。  このウェイトはガイドと下側支持ブラケットとの間での最大の接触を確実とするための力を及ぼし、ドロワーをそれぞれの家具部材から引き出す若しくは押し込んで戻すときに、前記ドロワーの安定性を保っている。
【００２０】
本発明による装置の種々の実施例は添付図面を参照しつつ以下に記載されている。
【００２１】
図２．３に示されている典型的な実施例によると、レバー２０は逆Ｕ字状を為すブラケットであって、リベット若しくは締結手段８０ａ，８０ｂを受容するような大きさとされた少なくとも２つの貫通孔２３ａ，２３ｂを備えており、前記ブラケットの一端には、外方に段付き状とされた平面的な側方延在部が形成されている。  この側方延在部は、装置アセンブリが図２．３に表されるように動作状態にあるときに、ガイド３０を強制的に押下げるために使用されるものである。  前記ブラケットの他端には、脚部１０を内部に摺動自在に受容するための凹部と、脚部１０を回動可能に取り付けるために、リベット若しくは締結手段に嵌合させるための貫通孔２３ａとが形成されている。
【００２２】
本発明の別な実施例によると、図２．２に示されている脚部１０は好適には、板金若しくは比較的平滑なエッジを有する２つの側面を備えた任意の適切な材料から形成され、この脚部１０はレバー２０の凹部２１に嵌合するように適合されている。  脚部１０をレバー２０に取り付けるためのリベット若しくは締結手段に嵌合させるため、脚部１０の少なくとも一端部には、レバー２０の孔２３ａに対応する孔１１ａが形成されている。  脚部１０の他端部には、ネジ回し用の溝１１ｂが打抜き形成されている。
【００２３】
図１．１及び図２．４に拡大して示されているガイド３０は、凹部が形成されたブラケットであって、前記ドロワーの下側支持ブラケット６０の上面で係合するように構成されている。  前記ブラケットの少なくとも一方の側部には、下側支持ブラケット６０の溝６１に嵌合するように適合された断面Ｌ字状の延在部が形成されている。
【００２４】
ガイド３０は好適には、下側支持ブラケット６０に形成された切込み部若しくは溝に嵌合するような大きさとされている。  しかしながらガイド３０は、家具本体とドロワー幅との間の不一致を調節するために、前記溝の中で横方向には移動できるようにされている。
【００２５】
図２．６の実施例によれば、下側支持ブラケット６０は好適には、板金若しくは任意の適切な材料から、上面を有する実質的に断面Ｌ字状に形成されている。  この上面は逆Ｕ字状を為すと共に断面Ｌ字状部分とは反対方向に延在されており、また、この上面には、ガイド３０を受容できるように凹部６１ａ，６１ｃ、溝６１ｂ及びセレーション６２が形成されている。
【００２６】
図２．５を参照すると、ホルダー４０はＬ字状ブラケットとされ、このホルダー４０の垂直板４１ａには貫通された締結孔４２が形成されている。  この垂直板４１ａは、レバー２０上に形成された溝に挿入可能とされている。  ホルダー４０の水平板４１ｂの一端には面取りされたエッジ部４１ｃが形成されている。
【００２７】
図２．７に示されるように、ランナー装置は、中間引き出しレールと固定ガイドを有する引き出し時の案内としてのチャネル７０を備えている。  このチャネル７０は、等しい形状ではない両側部を有する断面Ｃ字状の開口形状とされている。  チャネル７０の後端の上面には、バックストッパ７２，７３としてのＬ字状の延在部が打抜き形成されている。  チャネル７０の前方端には、（図４．１〜図４．３に示されるように）ガイド３０と係合するための凹部７１が形成されている。
【００２８】
中間引き出しレールは、中央フランジのどちらの側部からも実質的に等しい幅とされた水平方向の脚部を備えた断面Ｉ字状に形成されている。  固定されたガイドは構造的にチャネル７０と類似しており、図３に示されるように、断面Ｌ字状のブラケットの水平方向のフランジに隣接して取り付けられている。
【００２９】
ランナー装置アセンブリが組み立てられると、中間引き出しレールは、チャネル７０と固定されたガイドとの間で圧縮される。  チャネル７０は中間引き出しレール上を摺動可能に嵌合されており、チャネル７０と中間引き出しレールとは（図示しない）ローラ上で滑らかに摺動している。
【００３０】
ドロワーの両側部は、ドロワーを安全に進退させることを可能とするためにランナー装置１１０ａ，１１０ｂに取り付けられて支持されており、チャネル７０はドロワーの移動に追従されている。
【００３１】
図２．３〜図２．６を参照すると、脚部１０は、締結手段、例えば脚部１０の孔１１ａからレバー２０の孔２３ａまで延在しているリベット８０ａによってレバー２０に回転可能に取り付けられている。  この接続状態において、脚部１０はリリース位置とロック位置にある際に移動可能とされており、これにより脚部１０の一端が上昇され、他端がガイド手段３０に対して押し付けられることを可能としている。  更に脚部１０には、ネジ回し若しくは任意の適切な工具に嵌合し、前記他端に押下げる力を与えるように脚部１０を回転させるためのスクリュー溝が形成されている。
【００３２】
組み立てられる際には、レバー２０は締結手段によってホルダー４０に接続若しくは取り付けられている。  この接続において締結手段は、レバー２０の溝２３ｃに嵌合していると共にリベット止め若しくはそうでなければ螺着されたホルダー４０の垂直板を含み、これにより回動可能な取付状態が提供されている。
【００３３】
しかしながらガイド３０は、セレーション及びＬ字状の延在部を支持ブラケット６０上に形成された溝６１ｂに挿入することによって、支持ブラケット６０の上部に取り付けられている。  従ってガイド３０はここでは、ランナー装置１１０ａ，１１０ｂと位置合わせされるように位置決めされている。  この位置においてガイド３０は、それぞれの家具本体とドロワー幅との間の不一致を調節するために横方向に移動可能とされている。
【００３４】
ホルダー４０はレバー２０を支持しており、溶接によって支持ブラケット６０の平面的な上面へ適宜に取り付けられている。  しかしながら、この接続においては多くの代替変形が可能であり、例えばスクリュー若しくはボルトを含む締結手段を利用するようなことが考えられる。
【００３５】
図５に示されるように、バックストッパ７３はドロワー及びクリップ１２０を保持している。  バックストッパ７２，７３及びクリップ１２０の双方は、ドロワーをランナー装置１１０ａ，１１０ｂ上に固定するように適合されている。
【００３６】
チャネル７０とガイド３０との間の係合の詳細は、図４．１〜図４．３に更に記述されており、次いで、本発明の図６．１〜図６．３により、ロック機構について記述されている。
【００３７】
ガイド３０とチャネル７０との係合の前に、ガイド３０は水平方向に移動可能とされており、これによりドロワーが並進移動をしている際に傾けられることを可能としている。
【００３８】
しかしながら、ドロワーが押し込まれて家具本体若しくは家具部材内に挿入されるとき、この動きの際に生じる反力によって、溝６１ｂを貫通して下方に延在されたガイド３０の延在部は押され、チャネル７０によって形成された凹部７１と係合される。
【００３９】
図７及び図８に示されるように、安定化装置は、ドロワーの並進移動の方向と平行に、下側支持ブラケット６０の平面的な上面に組み込まれている。
【００４０】
ドロワーが押し込まれて家具本体若しくは家具部材内に挿入されるとき、ガイド表面３１ａはガイド表面３１ｂと共にチャネル７０の並進移動を外部に伝え、その一方、支持手段６０の溝内に適宜に挿入されたＬ字状の延在部は、チャネル７０に形成された角度付きエッジ７２ａ，７２ｂと接触し、チャネルを所定位置に保持すると共に相対的な並進移動の方向付けを助けている。
【００４１】
ドロワーが引き出されるとき、ネジ回し若しくは任意の適切な工具を溝１１ｂに挿入することにより脚部１０が回転されるので、ガイド３０はレバー２０の延在部２２ｃ，２２ｄによって押下げられる。  レバー２０と連動してガイド３０に対して作用する力は脚部１０によって生ぜしめられ、これにより、単に脚部１０をロック点に到達するまで下方に回転させることによって、レバー２０は支持ブラケット６０から上方に押される。  ガイド３０とセレーション６２との係合並びにガイド３０とランナー装置のチャネル７０との相互連結によって、ドロワーの動きは安定化されている。  移動の際に生じる反力（力Ｂ）によって、溝６１ｂを貫通して下方に延在されたガイド３０の延在部は押され、チャネル７０によって形成された凹部７１と係合される。
【００４２】
更に、ガイド３０のセレーション３２と下側支持ブラケット６０のセレーション６２とにより、ガイド３０との下側支持ブラケット６０との間で「ロック」が構成されている。  このロックによりドロワーが進退移動を行う際の安定化が図られ、ドロワーが傾こうとするのを防止して動作を安定化することができる。
【００４３】
更に、ガイド３０及び下側支持ブラケット６０に生じる下方の反力によってセレーション６２及びセレーション３２が表面と係合されることにより、安定化装置アセンブリとドロワーの下側支持ブラケット６０との係合を強固に維持して上下方向の安定化が図られる。  ここでロック機構は、ドロワーの安定性を維持するために一度だけ適用される。
【００４４】
ここで、ガイド３０を安定化位置にロックするために、ガイド部材３０を支持部材にクランプ若しくは押し付けるための代替手段が図７．１〜図７．３に示されている。
【００４５】
従って、簡単且つ低コストの構成部品しか必要としていないのも拘らず、ドロワーの制御された進退移動が達成されることが理解され得るであろう。
【００４６】
この装置について説明及び記述してきたが、多くの可能な代替変形が存在し、本発明の技術的範囲を逸脱すること無くそのような変形を為し得ることが理解されるであろう。
【図面の簡単な説明】
【００４７】
【図１】本発明による安定化装置を組み込んだドロワーの斜視図である。
【図１．１】本発明による、ガイド３０の斜視図である。
【図２．１】ドロワー側壁の分解斜視図である。
【図２．２】安定化装置用の種々の具体例または構成部品の斜視図である。
【図２．３】安定化装置用の種々の具体例または構成部品の斜視図である。
【図２．４】安定化装置用の種々の具体例または構成部品の斜視図である。
【図２．５】安定化装置用の種々の具体例または構成部品の斜視図である。
【図２．６】安定化装置用の種々の具体例または構成部品の斜視図である。
【図２．７】ドロワーのランナー装置の斜視図である。
【図３】本発明による、安定化装置を取り付ける前のランナー装置及びドロワーアセンブリの正面図である。
【図４．１】本発明による、ランナー装置の上側チャネルとガイドとの間の係合部の部分断面の平面図である。
【図４．２】本発明による、ランナー装置の上側チャネルとガイドとの間の係合部の部分断面の平面図である。
【図４．３】本発明による、ランナー装置の上側チャネルとガイドとの間の係合部の部分断面の平面図である。
【図５】安定化装置を組み込んだドロワーの側面図である。
【図６．１】本発明による、ランナー装置の上側チャネルとガイドとの間の係合部の部分断面の側面図である。
【図６．２】本発明による、ランナー装置の上側チャネルとガイドとの間の係合部の部分断面の側面図である。
【図６．３】本発明による、ランナー装置の上側チャネルとガイドとの間の係合部の部分断面の側面図である。
【図７】安定化装置の斜視図である。
【図７．１】加力手段の具体例の断面図である。
【図７．２】加力手段の具体例の断面図である。
【図７．３】加力手段の具体例の断面図である。
【図８】本発明による、ガイド３０及び加力手段の斜視図である。
【図９】幅（Ｐ１）の家具内部及び幅（Ｐ２）の二重壁ドロワーの内部のそれぞれを示す正面図である。
【図１０】本発明による、ガイド３０とチャネル７０との間の係合部の上面図である。
【符号の説明】
【００４８】
１０  脚部
１１ａ  孔
１１ｂ，２３ｃ，６１，６１ｂ  溝
２０  レバー
２１，６１ａ，６１ｃ，７１  凹部
２２ｃ，２２ｄ  延在部
２３ａ，２３ｂ  貫通孔
３０  ガイド
３１ａ，３１ｂ  ガイド表面
３２，６２  セレーション
４０  ホルダー
４１ａ  垂直板
４１ｂ  水平板
４１ｃ  エッジ部
４２  締結孔
６０  下側支持ブラケット
７０  チャネル
７２，７３  バックストッパ
７２ａ，７２ｂ  角度付きエッジ
８０ａ，８０ｂ  リベット
９０ａ，９０ｂ  ドロワー側部
１１０ａ，１１０ｂ  ランナー装置
１２０  クリップ
【図１】
0004520464.tif 000002
【図１．１】
0004520464.tif 000003
【図２．１】
0004520464.tif 000004
【図２．２】
0004520464.tif 000005
【図２．３】
0004520464.tif 000006
【図２．４】
0004520464.tif 000007
【図２．５】
0004520464.tif 000008
【図２．６】
0004520464.tif 000009
【図２．７】
0004520464.tif 000010
【図３】
0004520464.tif 000011
【図４．１】
0004520464.tif 000012
【図４．２】
0004520464.tif 000013
【図４．３】
0004520464.tif 000014
【図５】
0004520464.tif 000015
【図６．１】
0004520464.tif 000016
【図６．２】
0004520464.tif 000017
【図６．３】
0004520464.tif 000018
【図７】
0004520464.tif 000019
【図７．１】
0004520464.tif 000020
【図７．２】
0004520464.tif 000021
【図７．３】
0004520464.tif 000022
【図８】
0004520464.tif 000023
【図９】
0004520464.tif 000024
【図１０】
0004520464.tif 000025